(57)【要約】複数の電子的アセンブリを除熱するためのシステムであって、キャビネットの第１垂直空気流れ通路と第２垂直空気流れ通路との間で垂直列状に前記電子的アセンブリを支持するためのブラケットを有するキャビネットと、キャビネットの下方の台座にして、キャビネットの第１垂直空気流れ通路からの空気を受ける入口ポートと、第２垂直空気流れ通路に空気を移動させる出口ポートと、入口ポートと出口ポートとの間を伸延する空気流れ通路内に位置決めした熱交換器と、熱交換器を通して空気を入口ポートに駆動させるためのファンアセンブリと、を含む台座とを含むシステムが提供される。本システムには更に、ブラケットにより支持した電子的アセンブリを通して所定流量での空気分与を確立する少なくとも１つの空気流れ分与装置が含まれる。
2005500675.tif 000002
【特許請求の範囲】
【請求項１】
冷却するべき電子的アセンブリを支持するための実質的に閉鎖されたキャビネットであって、
基部と、
基部から垂直方向に離間した上部パネルと、
上部パネルと基部との間を垂直方向に伸延する第１垂直空気流れ通路と、
基部と上部パネルとの間を垂直方向に伸延する第２垂直空気流れ通路と、
電子的アセンブリを第１垂直空気流れ通路と第２垂直空気流れ通路との間で垂直列状に支持するためのブラケットと、
基部とブラケットとの間に位置決めされ、第１垂直空気流れ通路と第２垂直空気流れ通路との間の空気流れを冷却するための少なくとも１つの熱交換器と、
実質的に平坦であり、垂直方向に伸延する少なくとも１つの空気流れ分与装置にして、ブラケット上に支持した電子的アセンブリを通しての第２垂直空気流れ通路からの所定の冷却用空気の分与量を確立するための寸法形状とされ且つ位置決めされた、所定の配列模様における複数の孔を有し、空気流れ分与装置の孔の組み合わせ面積が、キャビネットの基部と上パネルとの間を伸延する方向で減少する熱交換器と、
を含むキャビネット。
【請求項２】
所定の冷却用空気の分与量が実質的に等しい請求項１のキャビネット。
【請求項３】
空気流れ分与装置の孔が各ブラケットに相当する水平列状に設けられる請求項１のキャビネット。
【請求項４】
空気流れ分与装置の各孔が等しい寸法形状を有し且つブラケットに相当する水平列状に設けられ、各水平列における孔数が異なる請求項１のキャビネット。
【請求項５】
ブラケットと基部との間に位置決めされ、熱交換器を通して空気を駆動するための少なくとも１つのファンを更に含む請求項１のキャビネット。
【請求項６】
第１垂直空気流れ通路内に位置決めされ、熱交換器を通して空気を駆動するための少なくとも１つのファンを更に含む請求項１のキャビネット。
【請求項７】
第１垂直空気流れ通路に隣り合うプレナムと、該プレナム内に位置決めされ、第１垂直空気流れ通路からの空気流れを熱交換器を通して駆動させるための少なくとも１つのファンとを更に含む請求項１のキャビネット。
【請求項８】
プレナムがキャビネットのドアに取り付けられる請求項７のキャビネット。
【請求項９】
熱交換器が水を充填したチューブを含んでいる請求項１のキャビネット。
【請求項１０】
熱交換器がガス状の冷却材を充填したチューブを含んでいる請求項１のキャビネット。
【請求項１１】
冷却するべき電子的アセンブリを支持するための実質的に閉じたキャビネットであって、
基部と、
該基部から垂直方向に離間した上部パネルと、
上部パネルと基部との間を垂直方向に伸延する第１垂直空気流れ通路と、
基部と上部パネルとの間を垂直方向に伸延する第２垂直空気流れ通路と、
第１垂直空気流れ通路と第２垂直空気流れ通路との間で垂直列状に電子的アセンブリを支持するためのブラケットと、
基部とブラケットとの間に位置決めされ、第１垂直空気流れ通路と第２垂直空気流れ通路との間を流れる空気流れを冷却するための少なくとも１つの熱交換器と、
空気流れ分与装置の下端と上端との間を、空気流れ分与装置の上端が下端よりもブラケットに近くなるように垂直方向及び水平方向に伸延し、基部からブラケット上に支持した電子的アセンブリを通しての所定量での冷却用空気の分与を確立するための少なくとも１つの空気流れ分与装置と、
を含むキャビネット。
【請求項１２】
空気流れ分与装置がキャビネットの第２空気流れ通路内に位置決めされた請求項１１のキャビネット。
【請求項１３】
空気流れ分与装置が平坦である請求項１１のキャビネット。
【請求項１４】
空気流れ分与装置がブラケットに向けて伸延するフードを上端位置に含んでいる請求項１１のキャビネット。
【請求項１５】
空気流れ分与装置が、空気流れ分与装置の各側からブラケットに向けて伸延し且つフードと空気流れ分与装置の下端との間を伸延する側方プレートを有する請求項１４のキャビネット。
【請求項１６】
各ブラケットと基部との間に位置決めされ、熱交換器を通して空気を駆動させるための少なくとも１つのファンを更に含む請求項１１のキャビネット。
【請求項１７】
第１垂直空気流れ通路内に位置決めされ、熱交換器を通して空気を駆動させる少なくとも１つのファンを更に含む請求項１１のキャビネット。
【請求項１８】
第１垂直空気流れ通路に隣り合うプレナムと、第１垂直空気流れ通路から熱交換器を通して空気を駆動するために該プレナム内に位置決めした少なくとも１つのファンとを更に含む請求項１１のキャビネット。
【請求項１９】
プレナムをキャビネットのドアに取り付けた請求項１８のキャビネット。
【請求項２０】
熱交換器が水を充填したチューブを含む請求項９のキャビネット。
【請求項２１】
熱交換器がガス状の冷却材を充填したチューブを含む請求項９のキャビネット。
【請求項２２】
複数の電子的アセンブリを除熱するためのシステムであって、
Ａ）少なくとも１つのキャビネットにして、床上に支持され、キャビネットの第１側に沿って伸延する第１垂直空気流れ通路とキャビネットの第２側に沿って伸延する第２垂直空気流れ通路との間で垂直方向列状とされた電子的アセンブリを支持するためのブラケットを含み、前記第２側が第１側と反対側に位置付けられる少なくとも１つのキャビネットと、
Ｂ）床の下方位置でキャビネットに裏当てされた少なくとも１つの台座にして、入口ポートと、出口ポートと、入口ポートと出口ポートとの間を伸延する台座空気流れ通路に沿って配置した少なくとも１つの熱交換器と、熱交換器を通して空気を駆動するための、前記台座空気流れ通路に沿って配置した少なくとも１つのファンと、を含む台座と、
Ｃ）床を貫いて伸延し、キャビネットの第１垂直空気流れ通路と台座の入口ポートとを連結する第１絶縁ダクトと、床を貫いて伸延し、キャビネットの第２垂直空気流れ通路と台座の出口ポートとを連結する第２絶縁ダクトと、
Ｄ）キャビネットのブラケット上に支持した電子的アセンブリを通しての所定の空気流れ分与量を確立するための少なくとも１つの空気流れ分与装置と、
を含むシステム。
【請求項２３】
所定の空気流れ分与量が実質的に同量である請求項２２のシステム。
【請求項２４】
空気流れ分与装置がキャビネットの第２垂直空気流れ通路とブラケットとの間に位置決めされる請求項２２のシステム。
【請求項２５】
空気流れ分与装置が実質的に平坦であり且つ垂直方向に伸延し、また所定の配列模様での寸法形状を有し且つ位置決めされた複数の孔を含んでいる請求項２２のシステム。
【請求項２６】
空気流れ分与装置がキャビネットの第２垂直空気流れ通路とブラケットとの間に位置決めされ、空気流れ分与装置の、台座から異なる距離位置の各孔が、所定の空気流れの分与量が実質的に同じになるように寸法付けされ且つ位置決めされる請求項２５のシステム。
【請求項２７】
空気流れ分与装置の各孔が水平列状態下に設けられる請求項２５のシステム。
【請求項２８】
空気流れ分与装置の、台座に最も近い水平列の孔数が台座から最も遠い水平列の孔数よりも少ない請求項２７のシステム。
【請求項２９】
空気流れ分与装置の孔が等しい寸法形状を有する請求項２５のシステム。
【請求項３０】
空気流れ分与装置が、台座に近い側の下端と台座から遠い側の上端との間を、前記上端が下端よりもブラケットに近づくように垂直方向及び横断方向に伸延する請求項２２のシステム。
【請求項３１】
空気流れ分与装置が、キャビネットの第２垂直空気流れ通路内に位置決めされ且つ、キャビネットのブラケット上に支持した電子的アセンブリを通しての所定の空気流れ分与量が実質的に同じになるように形状付けされ且つ方向付けされる請求項３０のシステム。
【請求項３２】
空気流れ分与装置が平坦である請求項３０のシステム。
【請求項３３】
空気流れ分与装置が、上端位置にブラケットに向けて伸延するフードを含んでいる請求項３０のシステム。
【請求項３４】
空気流れ分与装置が、空気流れ分与装置の各側からブラケットに向けて伸延し且つフードと空気流れ分与装置の下端との間を伸延する側方プレートを含む請求項３３のシステム。
【請求項３５】
熱交換器が水を充填したチューブを含む請求項２２のシステム。
【請求項３６】
熱交換器がガス状の冷却材を充填したチューブを含む請求項２２のシステム。
【請求項３７】
冷却するべき電子的アセンブリを支持するための、実質的に閉鎖されたキャビネットであって、
床上に受けさせるための基部と、
該基部から垂直方向に離間した上部パネルと、
該上部パネルに接近する位置から台座の出口に向けて垂直方向に伸延する第１垂直空気流れ通路と、
床を貫いて伸延し基部の出口と遠隔熱交換器とを連結するための第１絶縁ダクトと、
基部の入口から上部パネルに接近して垂直方向に伸延する第２垂直空気流れ通路と、
床を貫いて伸延し基部の入口と遠隔熱交換器とを連結する第２絶縁ダクトと、
第１絶縁ダクト及び第２絶縁ダクトの少なくとも一方に位置決めされ、キャビネットと遠隔熱交換器との間に空気流れを生じさせるファンと、
第１垂直空気流れ通路と第２垂直空気流れ通路との間で水直列状態とした電子的アセンブリを支持するためのブラケットと、
垂直方向に伸延する実質的に平坦な少なくとも１つの空気流れ分与装置にして、第２垂直空気流れ通路からの、ブラケット上に支持した電子的アセンブリを通しての冷却用空気の所定量での分与を確立するための所定の配列模様での寸法形状とされ且つ位置決めされた複数の孔を有し、該空気流れ分与装置の前記各孔の空気流れのための合計面積が、基部とキャビネットの上部パネルとの間を伸延する方向に於いて減少される空気流れ分与装置と、
を含むキャビネット。
【請求項３８】
所定の空気流れの分与量が実質的に等しい請求項３７のキャビネット。
【請求項３９】
空気流れ分与装置の孔が、ブラケットに相当する水平列状に設けられる請求項３７のキャビネット。
【請求項４０】
空気流れ分与装置の孔が等しい寸法形状とされ且つブラケットに相当する水平列に於いて設けられ、各列の孔数が変化する請求項３７のキャビネット。
【請求項４１】
冷却するべき電子的アセンブリを支持するための実質的に閉鎖されたキャビネットであって、
床上に受けさせるための基部と、
該基部から垂直方向に離間した上部パネルと、
上部パネル付近から基部の出口に向けて垂直方向に伸延する第１垂直空気流れ通路と、
床を貫いて伸延し、基部の出口と遠隔熱交換器とを連結する第１絶縁ダクトと、
基部の入口から上部パネル付近に向けて床を貫いて垂直方向に伸延する第２垂直空気流れ通路と、
床を貫いて伸延し、基部の入口と遠隔熱交換器とを連結する第２絶縁ダクトと、
第１絶縁ダクト及び第２絶縁ダクトの少なくとも一方において位置決めされ、キャビネットと遠隔熱交換器との間に空気流れを生じさせるファンと、
第１垂直空気流れ通路と第２垂直空気流れ通路との間で電子的アセンブリを垂直列状に支持するブラケットと、
空気流れ分与装置の下端と上端との間を、該空気流れ分与装置の上端が下端よりもブラケットに近づくように垂直方向及び水平方向に伸延し、ブラケット上に支持した電子的アセンブリを貫いての基部からの所定量での冷却用空気の分与を確立するための少なくとも１つの空気流れ分与装置と、
を含むキャビネット。
【請求項４２】
空気流れ分与装置がキャビネットの第２垂直空気流れ通路内に位置決めされる請求項４１のキャビネット。
【請求項４３】
空気流れ分与装置が平坦である請求項４１のキャビネット。
【請求項４４】
空気流れ分与装置が、上端位置でブラケットに向けて伸延するフードを含む請求項４１のキャビネット。
【請求項４５】
空気流れ分与装置が、該空気流れ分与装置の各側からブラケットに向けて伸延し且つフードと該空気流れ分与装置の下端との間を伸延する側方プレートを有する請求項４４のキャビネット。
【請求項４６】
冷却するべき電子的アセンブリを支持するための実質的に閉じたキャビネットであって、
基部と、
該基部から垂直方向に離間した上部パネルと、
上部パネルと基部との間を垂直方向に伸延する第１垂直空気流れ通路と、
基部と上部パネルとの間を垂直方向に伸延する第２垂直空気流れ通路と、
第１垂直空気流れ通路と第２垂直空気流れとの間で電子的アセンブリを垂直列状に支持するためのブラケットと、
上部パネルとブラケットとの間に位置決めされ、第１垂直空気流れ通路と第２垂直空気流れ通路との間を流動する冷却用空気を冷却するための少なくとも１つの熱交換器と、
垂直方向に伸延する実質的に平坦な少なくとも１つの空気流れ分与装置にして、第２垂直空気流れ通路からの、ブラケット上に支持した電子的アセンブリを通しての冷却用空気の所定量での分与を確立するための、所定の配列模様での寸法形状とされ且つ位置決めされた複数の孔を有し、該空気流れ分与装置の前記各孔の空気流れのための合計面積が、基部とキャビネットの上部パネルとの間を伸延する方向に於いて減少される空気流れ分与装置と、
を含むキャビネット。
【請求項４７】
所定の空気流れの分与量が実質的に等しい請求項４６のキャビネット。
【請求項４８】
空気流れ分与装置の孔が、ブラケットに相当する水平列状に設けられる請求項４６のキャビネット。
【請求項４９】
空気流れ分与装置の孔が等しい寸法形状とされ且つブラケットに相当する水平列に於いて設けられ、各列の孔数が変化する請求項４６のキャビネット。
【請求項５０】
第１垂直空気流れ通路に隣り合うプレナムと、第１垂直空気流れ通路から熱交換器を通して空気を駆動するために該プレナム内に位置決めした少なくとも１つのファンとを更に含む請求項４６のキャビネット。
【請求項５１】
プレナムをキャビネットのドアに取り付けた請求項５０のキャビネット。
【請求項５２】
熱交換器が水を充填したチューブを含む請求項４６のキャビネット。
【請求項５３】
熱交換器がガス状の冷却材を充填したチューブを含む請求項４６のキャビネット。
【請求項５４】
冷却するべき電子的アセンブリを支持するための実質的に閉じたキャビネットであって、
基部と、
該基部から垂直方向に離間した上部パネルと、
上部パネルと基部との間を垂直方向に伸延する第１垂直空気流れ通路と、
基部と上部パネルとの間を垂直方向に伸延する第２垂直空気流れ通路と、
第１垂直空気流れ通路と第２垂直空気流れとの間で電子的アセンブリを垂直列状に支持するためのブラケットと、
基部とブラケットとの間に位置決めされ、第１垂直空気流れ通路と第２垂直空気流れ通路との間を流動する冷却用空気を冷却するための少なくとも１つの熱交換器と、
空気流れ分与装置の下端と上端との間を、該上端が下端よりもブラケットに近づくように垂直方向及び水平方向に伸延し、基部からの、ブラケット上に支持した電子的アセンブリを通しての冷却用空気の所定量での分与を確立するための少なくとも１つの空気流れ分与装置と、
を含むキャビネット。
【請求項５５】
空気流れ分与装置をキャビネットの第２垂直空気流れ通路内に位置決めした請求項５４のキャビネット。
【請求項５６】
空気流れ分与装置が平坦である請求項５４のキャビネット。
【請求項５７】
空気流れ分与装置が、上端位置にブラケットに向けて伸延するフードを含む請求項５４のキャビネット。
【請求項５８】
空気流れ分与装置が、該空気流れ分与装置の各側からブラケットに向けて伸延し且つフードと該空気流れ分与装置の下端との間を伸延する側方プレートを有する請求項５７のキャビネット。
【請求項５９】
第１垂直空気流れ通路に隣り合うプレナムと、第１垂直空気流れ通路から熱交換器を通して空気を駆動するために該プレナム内に位置決めした少なくとも１つのファンとを更に含む請求項５４のキャビネット。
【請求項６０】
プレナムをキャビネットのドアに取り付けた請求項５９のキャビネット。
【請求項６１】
熱交換器が水を充填したチューブを含む請求項５４のキャビネット。
【請求項６２】
熱交換器がガス状の冷却材を充填したチューブを含む請求項５４のキャビネット。
【請求項６３】
複数の電子的アセンブリを除熱するためのシステムであって、
Ａ）少なくとも１つのキャビネットにして、該キャビネットの第１側に沿って伸延する第１垂直空気流れ通路とキャビネットの第２側に沿って伸延する第２垂直空気流れ通路との間で垂直列状に電子的アセンブリを支持するためのブラケットを含み、第２側が第１側の反対側に位置付けられるキャビネットと、
Ｂ）床の下方に位置付けられた少なくとも１つの台座にして、キャビネットの第１垂直空気流れ通路からの空気を受ける入口ポートと、台座からの空気をキャビネットの第２垂直空気流れ通路に移行させる出口ポートと、入口ポートと出口ポートとの間を伸延する台座空気流れ通路に沿って配置され、台座茎流れ通路に沿って通過する空気からの熱を熱交換器を貫いて流れる熱交換媒体に移行する少なくとも１つの熱交換器と、熱交換器を通して、次いで出口ポートを通して、次いでキャビネットの第２垂直空気流れ通路を通して、次いで離間した電子的アセンブリを横断して、次いでキャビネットの第１垂直空気流れ通路に沿って、次いで入口ポートを通して空気を駆動するための、前記台座空気流れ通路に沿って配置した少なくとも１つのファンと、を含む台座と、
Ｃ）キャビネットのブラケット上に支持した電子的アセンブリを通しての所定の空気流れ分与量を確立するための少なくとも１つの空気流れ分与装置と、
を含むシステム。
【請求項６４】
所定の空気流れ分与量が実質的に同じである請求項６３のシステム。
【請求項６５】
空気流れ分与装置がキャビネットの第２垂直空気流れ通路とブラケットとの間に位置決めされる請求項６３のシステム。
【請求項６６】
空気流れ分与装置が実質的に平坦であり且つ垂直方向に伸延し、また、所定の配列模様で寸法形状付けされ且つ位置決めした複数の孔を含んでいる請求項６３のシステム。
【請求項６７】
空気流れ分与装置がキャビネットの第２垂直空気流れ通路とブラケットとの間に位置決めされ、空気流れ分与装置の、台座から異なる距離位置の各孔が、所定の空気流れの分与量が実質的に同じになるように寸法付けされ且つ位置決めされる請求項６６のシステム。
【請求項６８】
空気流れ分与装置の各孔が水平列状態下に設けられる請求項６６のシステム。
【請求項６９】
空気流れ分与装置の、台座に最も近い水平列の孔数が台座から最も遠い水平列の孔数よりも少ない請求項６８のシステム。
【請求項７０】
空気流れ分与装置の孔が等しい寸法形状を有する請求項６６のシステム。
【請求項７１】
空気流れ分与装置が、台座に近い側の下端と台座から遠い側の上端との間を、前記上端が下端よりもブラケットに近づくように垂直方向及び横断方向に伸延する請求項６３のシステム。
【請求項７２】
空気流れ分与装置が、キャビネットの第２垂直空気流れ通路内に位置決めされ且つ、キャビネットのブラケット上に支持した電子的アセンブリを通しての所定の空気流れ分与量が実質的に同じになるように形状付けされ且つ方向付けされる請求項７１のシステム。
【請求項７３】
空気流れ分与装置が平坦である請求項７１のシステム。
【請求項７４】
空気流れ分与装置が、上端位置にブラケットに向けて伸延するフードを含んでいる請求項７１のシステム。
【請求項７５】
空気流れ分与装置が、空気流れ分与装置の各側からブラケットに向けて伸延し且つフードと空気流れ分与装置の下端との間を伸延する側方プレートを含む請求項７４のシステム。
【請求項７６】
１つのキャビネットと１つの台座とを含む請求項６３のシステム。
【請求項７７】
台座が少なくとも１つのファンアセンブリと、少なくとも２つの熱交換器とを含む請求項６３のシステム。
【請求項７８】
冷却するべき電子的アセンブリを支持するための、また、入口ポートと、出口ポートと、該入口ポート及び出口ポート間を伸延する台座空気流れ通路と、を有する台座上に受けられるための実質的に閉鎖されたキャビネットであって、
台座上に配置した基部と、
該基部から離間した上部パネルと、
上部パネルから基部の出口に向けて伸延し、台座の入口ポートに連結する第１垂直空気流れ通路と、
台座の出口ポートに連結するための基部の入口から上部パネルに伸延する第２垂直空気流れ通路と、
第１垂直空気流れ通路と第２垂直空気流れ通路との間で垂直列状に電子的アセンブリを支持するためのブラケットと、
実質的に平坦であり、垂直方向に伸延する少なくとも１つの空気流れ分与装置にして、ブラケット上に支持した電子的アセンブリを通して台座内の入口から所定量での冷却用空気流れ分与を確立するための所定の配列模様で寸法付けされ且つ位置決めされた複数の孔を有する空気流れ分与装置と、
を含み、
前記空気流れ分与装置の孔の合計面積が、台座部とキャビネットの上部パネルとの間を伸延する方向に於いて減少するようにしたキャビネット。
【請求項７９】
空気流れ分与装置が、実質的に同量の所定の空気流れ分与量を生じるようになっている請求項７８のキャビネット。
【請求項８０】
空気流れ分与装置の孔が、ブラケットに相当する水平列状に設けられる請求項７８のキャビネット。
【請求項８１】
電子的アセンブリを支持するための、また、入口ポートと、出口ポートと、該入口ポート及び出口ポート間を伸延する台座空気流れ通路と、該台座空気流れ通路内に位置決めしたファンアセンブリとを有する台座上に受けられるためのキャビネットであって、
台座の入口ポートに連結するための第１垂直空気流れ通路と、
台座の出口ポートに連結するための第２垂直空気流れ通路と、
第１垂直空気流れ通路と第２垂直空気流れ通路との間で電子的アセンブリを垂直列状に支持するためのブラケットと、
実質的に平坦であり、垂直方向に伸延する少なくとも１つの空気流れ分与装置にして、ブラケット上に支持した電子的アセンブリを通しての所定量での冷却用空気流れ分与を確立するための所定の配列模様で寸法付けされ且つ位置決めされた複数の孔を有する空気流れ分与装置と、
を含み、
空気流れ分与装置が、第２垂直空気流れ通路とブラケットとの間に位置決めされたキャビネット。
【請求項８２】
電子的アセンブリを支持するための、また、入口ポートと、出口ポートと、該入口ポート及び出口ポート間を伸延する台座空気流れ通路と、該台座空気流れ通路内に位置決めしたファンアセンブリとを有する台座上に受けられるためのキャビネットであって、
台座の入口ポートに連結するための第１垂直空気流れ通路と、
台座の出口ポートに連結するための第２垂直空気流れ通路と、
第１垂直空気流れ通路と第２垂直空気流れ通路との間で電子的アセンブリを垂直列状に支持するためのブラケットと、
実質的に平坦であり、垂直方向に伸延する少なくとも１つの空気流れ分与装置にして、ブラケット上に支持した電子的アセンブリを通しての所定量での冷却用空気流れ分与を確立するための所定の配列模様で寸法付けされ且つ位置決めされた複数の孔を有する空気流れ分与装置と、
を含み、
空気流れ分与装置の各孔が等しく寸法形状付けされ且つブラケットに相当する水平列状態下に設けられ、孔数が各水平列に於いて変化するキャビネット。
【請求項８３】
冷却するべき電子的アセンブリを支持するための、また、入口ポートと、出口ポートと、該入口ポート及び出口ポート間を伸延する台座空気流れ通路と、台座空気流れ通路内に位置決めしたファンアセンブリと、を有する台座上に受けられるための実質的に閉鎖されたキャビネットであって、
台座上に配置する基部と、
該基部から離間した上部パネルと、
上部パネルから基部の出口に向けて伸延し、台座の入口ポートに連結する第１垂直空気流れ通路と、
台座の出口ポートに連結するための基部の入口から上部パネルに伸延する第２垂直空気流れ通路と、
第１垂直空気流れ通路と第２垂直空気流れ通路との間で垂直列状に電子的アセンブリを支持するためのブラケットと、
ブラケット上に支持した電子的アセンブリを通しての、台座からの所定量での冷却用空気の分与を確立するために、空気流れ分与装置の下端と上端との間で台座に近い側の下端と台座から遠い側の上端との間を前記上端が下端よりもブラケットに近づくように垂直方向及び横断方向に伸延する少なくとも１つの空気流れ分与装置と、
を含むキャビネット。
【請求項８４】
空気流れ分与装置がキャビネットの第２垂直空気流れ通路内に位置決めされる請求項８３のキャビネット。
【請求項８５】
空気流れ分与装置が平坦である請求項８３のキャビネット。
【請求項８６】
空気流れ分与装置が上端位置にブラケットに向けて伸延するフードを含む請求項８３のキャビネット。
【請求項８７】
空気流れ分与装置が、空気流れ分与装置の各側からブラケットに向けて伸延し且つフードと空気流れ分与装置の下端との間を伸延する側方プレートを含む請求項８６のシステム。
【請求項８８】
第１垂直空気流れ通路と、第２垂直空気流れ通路と、第１垂直空気流れ通路の出口及び第２垂直空気流れ通路の入口を確定する台座と、第１垂直空気流れ通路と第２垂直空気流れ通路との間で垂直列状に電子的アセンブリを支持するブラケットとを含む少なくとも１つのキャビネットを支持し且つ冷却するための台座であって、
キャビネットの出口からの暖気を受けるための入口ポートと、
台座からキャビネットの入口ポートに冷却用空気を送るための出口ポートと、
入口ポートと出口ポートとの間を伸延する台座空気流れ通路と、
台座流れ空気通路に沿って配置され、冷却用の熱交換媒体を含む少なくとも１つの熱交換器と、
熱交換器を通して入口ポートから出口ポートに向けて空気を駆動するための、台座空気流れ通路に沿って配置した少なくとも１つのファンアセンブリと、
を含む台座。
【請求項８９】
単一のキャビネットを支持し且つ冷却する寸法形状とされる請求項８８の台座。
【請求項９０】
少なくとも２つのファンアセンブリを含む請求項８８の台座。
【請求項９１】
少なくとも２つの熱交換器を含む請求項８８の台座。
【発明の詳細な説明】
【技術分野】
【０００１】
本発明は、２００１年８月１０日付で出願された米国特許出願番号第０９／９２７，６５９号の部分継続出願である。また本件出願は、２００１年５月１６日付で出願された米国特許出願番号第６０／２９１，４４７号の優先権をも主張するものである。
本発明は、電子データサーバーあるいは類似の設備を除熱するための方法及びシステムに関し、詳しくは、電子的アセンブリを支えるための閉じたキャビネット、このキャビネット内に冷却用空気を提供するための台座、閉キャビネット内に冷却用空気を分与するための分与装置、を有するシステムに関する。
【背景技術】
【０００２】
高密度型の電子データサーバーが出現したことにより、４２ものサーバーが典型的には約２．１メートル（７フィート）の高さの１つのキャビネット内に搭載されるようになった。これにより、キャビネット内の全熱負荷は１０キロワットにも達する非常に大きなものとなり、キャビネット内部を許容作動温度に維持する上での問題が生じている。作動温度が許容範囲にないとサーバーの信頼性及び寿命が低下する。サーバーは一般に機微な且つ貴重なデータを大量に取り扱うことから作動温度の管理が不可欠であり、作動温度を比較的低く且つ一定した状態に保つことが要求される。
【０００３】
サーバーのキャビネットを冷却する一方法は、キャビネットを空調され及びあるいは冷却空気を通した室内に組み込むことである。しかしながらこの方法には幾つかの問題がある。先ず、室内全体及び室内の配置物を冷却する必要があることからエネルギーの無駄が生じることであり、また、キャビネットは列状に配置されることから、一つの列から離れた加熱された空気が、隣の列のキャビネットの温度に悪影響を与えることであり、更には、既存の室内空調ユニットの能力を超えることになることから、高密度型のサーバーを充填したキャビネットを追加して既存の設備をアップグレードすることが恐らく不可能なことである。利用可能な電力が不足する状況の中で新空調システムを要求することが公共施設にとって相応しくないこともある。また、そうした室内にはしばしば、キャビネットに送る空気を冷却する床置き型の熱管理ユニットが配置されるが、こうしたユニットはサーバーキャビネットをもっと有益に配置し得るであろう貴重な床面積を占有することになる。
【発明の開示】
【発明が解決しようとする課題】
【０００４】
データサーバーのような、複数の電子的アセンブリを除熱するための新規且つ改良されたシステムを提供することであり、電子装置を冷却するために、利用可能な電力をずっと効率的に使用することのできるそうしたシステムを提供することであり、特には、電子装置のキャビネット全体ではなく内側部分のみを冷却するそうしたシステムを提供することであり、隣のキャビネット列とは無関係にキャビネットの内側部分を冷却するそうしたシステムを提供することであり、床面積を有効利用する、また、電子装置のキャビネットを追加することにより既存の設備のアップグレードに容易に対処することのできるそうしたシステムを提供することである。
【課題を解決するための手段】
【０００５】
本発明によれば、データサーバーのような複数の電子的アセンブリを除熱するための新規且つ改良されたシステムが提供される。本システムには、電子的アセンブリを支持するためのブラケットを有する少なくとも１つのキャビネットが含まれる。キャビネットは、このキャビネットの第１垂直空気通路と第２垂直空気通路との間で電子的アセンブリを垂直列の状態に支持する。
【０００６】
本システムには少なくとも１つの台座も含まれる。台座はキャビネットの下方に位置付けられ、キャビネットの第１垂直空気通路からの空気を受ける入口ポートと、第２垂直空気通路に空気を送る出口ポートと、これらの入口ポート及び出口ポート間を伸延する台座空気通路とを有する。台座空気通路内には、熱交換器を通る熱交換媒体に熱を移行させる少なくとも１つの熱交換器が配置され、また、この熱交換器内で空気を駆動させる少なくとも１つのファンアセンブリが台座空気通路に沿って配置される。
【０００７】
本システムには、ブラケットにより支持した電子的アセンブリを通る所定流量の空気流れを確立する少なくとも１つの空気流れ分与装置が更に含まれる。空気流れ分与装置は、キャビネット内で縦列状に支持された電子装置が台座からの所定量（例えば等量）の冷却空気を確実に受けることができるようにするためのものである。
本発明の１様相によれば、空気流れ分与装置は、所定の空気流量が実質的に同量（例えば、垂直列状に配置した各電子装置が等分量の冷却空気流れを受けるような）となるように適合される。
【０００８】
本発明の他の様相によれば、空気流れ分与装置は、キャビネットの第２垂直空気通路と各ブラケットとの間に位置決めされる。本発明の他の様相によれば、空気流れ分与装置は実質的に平坦且つ垂直方向に伸延し、所定配列模様の寸法及び位置を有する複数の孔を含む。本発明の更に他の様相によれば、空気流れ分与装置は同じ寸法形状とされ、各ブラケットに相当する水平列状態で設けられ、台座に最も接近する水平列の空気流れ分与装置の前記孔数が、台座から最も遠い位置の水平列の空気流れ分与装置の孔数よりも少ない。
【０００９】
本発明によれば、キャビネット内に支持された電子装置を通る所定流量の空気流れを確立するための別の空気流れ分与装置が提供される。本分与装置は、キャビネットの空気通路の１つの内部に位置決めされ、台座に接近する下端部と、台座から遠い上端部との間を垂直方向及び横方向に伸延し、上端部が下端部よりもブラケットに接近される。
【発明の効果】
【００１０】
データサーバーのような、複数の電子的アセンブリを除熱するための新規且つ改良されたシステムを提供することであり、電子装置を冷却するために、入手可能な電力をずっと効率的に使用することのできるそうしたシステムが提供され、特には、電子装置のキャビネット全体ではなく内側部分のみを冷却するそうしたシステムが提供され、列状のそうしたキャビネットの隣り合うキャビネットとは無関係に、キャビネットの内側部分を冷却するそうしたシステムが提供され、また、床面積を有効利用し、電子装置のキャビネットを追加することにより既存の設備のアップグレードに容易に対処することのできるそうしたシステムが提供される。
【発明を実施するための最良の形態】
【００１１】
図１〜図４を参照するに、データサーバーのような複数の電子的アセンブリを除熱するための新規且つ改良されたシステム１０が例示される。システム１０は、データサーバーのような電子的アセンブリを支持する支持手段１４を収納する少なくとも１つのキャビネット１２と、キャビネット１２を通して空気流れを創出するための空気流れ送出手段あるいはファンアセンブリ１８を含む少なくとも１つの台座１６と、空気流れから熱を取り除くための除熱手段２０と、キャビネット１２を通して所定流量の空気流れを分与する少なくとも１つの空気流れ分与装置２２とを含んでいる。
【００１２】
システム１０は典型的には、“サーバー”その他の電子データ設備を収納する数百ものキャビネットを格納する“データセンター”での用途がある。そうした設備は、例えば、通信目的あるいは高速インターネットあるいはストリーミングデータサービスで使用される。図示された実施例では、電子的アセンブリ用の支持手段１４は電子的アセンブリを垂直列１５の状態に支持するように配列したブラケットを含み、電子的アセンブリのハウジングが、この垂直列１５をなす電子的アセンブリにおける個別の水平方向通路を創出する。例示目的上、ハウジングは各ブラケット間を伸延する水平線によって表わされる。支持手段１４としての“ブラケット”は一般に、例えばサーバー取り付け用の離間した取り付け穴を有する垂直の金属ストリップを含む。サーバーは通常、ブラケットにねじ止めした取り付けブラケットを、サーバーの前面に接近する位置あるいは前面位置に備えている。電子的アセンブリを１５の状態に支持する支持手段１４は棚その他の好適な構造物であっても良い。
【００１３】
先ず図１〜図３を参照するに、本発明のキャビネット１２が、第１垂直空気通路２４と第２垂直空気通路２６との間に、電子的アセンブリを垂直列１５の状態に支持するためのブラケット１４を含んでいる。キャビネット１２はブラケット１４と、第１垂直空気通路２４及び第２垂直空気通路２６とによって周囲を包囲され、前パネル２８、後パネル３０、側方パネル３２、上パネル３４を含んでいる。前パネル２８と後パネル３０とはドアとして作用する、またブラケット１４に支持した電子部品へのアクセスを提供するべく、ヒンジを使用してキャビネット１２に取り付けることができる。キャビネット１２の基部３６が、第１垂直空気通路２４のための出口３８と、第２垂直空気通路と２６のための入口４０とを確定する。キャビネット１２の、これらの入口４０及び出口３８以外の部分はキャビネットを通る空気流れが再循環されるように閉鎖される。
【００１４】
図１、図２及び図４を参照するに、キャビネット１２の下方の台座１６が、キャビネットの第１垂直空気通路２４の出口３８からの空気を受ける入口ポート４２と、台座からキャビネットの第２垂直空気通路２６の入口４０に空気を移動させる出口ポート４４と、入口ポート４２と出口ポート４４との間を伸延する台座空気通路４６とを有している。この台座空気通路４６内には少なくとも１つの熱交換器２０が位置決めされ、この熱交換器２０を通して熱交換媒体に熱が移行され、熱交換器２０及びキャビネット１２を通し、台座空気通路４６に沿って空気を駆動するための少なくとも１つのファンアセンブリ１８が配置される。熱交換器２０は、冷媒蒸発器を含み得るところの遠隔供給源からの液体冷却材を循環させるコイルを含むことが好ましい。キャビネット１２を出る空気流の熱はコイル２０内の冷却材に吸収される。冷却材は冷却水を含むことが好ましい。
【００１５】
別法として、また１実施例として、冷却材はアンモニア、クロロフルオロカーボン、あるいはもっと新しい、オゾン層を破壊しない冷媒のような冷媒液を含んでいる。その場合熱交換器２０はそれ自体が蒸発器として機能し、冷媒が台座１６を通過する際にガス状であるようにする膨張弁を含む。コンプレッサ及び冷媒蒸発器のコイルは台座１６及びキャビネット１２から離して設けることが好ましい。本発明の重要な利益は、台座１６とキャビネット１２とにおける水の出現が回避されることである。これは、サービスの継続を最優先事項とする、また、パイプ破裂による出水で電子設備に危険がもたらされる通信施設にとっては非常に望ましいことである。冷媒の場合、冷媒が電気的に非導電性であることと、パイプから逃出するとガス状に戻ることから、パイプ破損により重大な危険がもたらされる恐れがない。
【００１６】
システム１０に望まれる高い信頼性を実現するために、本来の作動部品の冗長性が好ましく使用される。かくして多数のファン１８が使用され、ファンの１つが故障してもシステム１０全体が故障する原因とはならないようにされる。同様に、熱交換器２０は多数の冷却用コイルを含むことが好ましい。更には、ファン１８と熱交換器２０とは、素早い引き出し及び収納を容易化する、例えば摺動引き出しに取り付ける構成とされる。ファンの故障即ち高温状況といった非常事態を遠隔発信させることで管理スタッフにそうした状況を素早く気付かせることが容易となり、全体的な信頼性が改善される。本来の作動部品の迅速な保守管理を更に増長させるために急速脱着手段を採用し、例えば、水結合部を周知の“ダブルシャットオフ”型の水圧ホース継ぎ手手段から作製し得、また、電気的結合部をシュラウド付きプラグ及びソケットとすることができる。
【００１７】
本発明の１実施例において、台座１６は多数のキャビネット１２を支持する寸法形状とすることができる。別の実施例では台座１６は、この台座に取り付けた２つあるいはそれ以上のキャビネット１２の各々のための、もしくは台座上に取り付けた全てのキャビネットのための１つの冷却コイル２０を収納することができる。別の実施例では、台座１６は空気を移動させるための１つあるいは幾つかのファン１８を収納することができる。更に別の実施例では台座１６は単一のキャビネット１２を支持し且つ冷却するために使用され得る。また別の実施例では、横に並べたキャビネット１２と台座１６とを相互にボルト止めし、地震に対する抵抗力を強めることができる。本発明の範囲を逸脱することなく多くの組み合わせ及び配列が可能である。
【００１８】
いずれにせよ、台座１６とキャビネット１２とがモジュール的な配列構成であることによりシステム１０には汎用性があり、キャビネットを充填した室内全体を冷却する場合と比較して改善されたエネルギー効率が提供される。かくして、本発明のシステム１０はランニングコストを低減させ、利用可能な所定の電力条件で設備をずっと大型化することが可能となる。加えて、除熱手段をサーバーと密接に組み合わせて配置することにより、除熱をずっと良好に制御することができ、また、温度が良好に制御され得ることからサーバーの寿命及び信頼性を向上させることが可能となる。
【００１９】
台座１６の底面積がキャビネット１２のそれと実質的に同じであることから、サーバールームあるいは施設内の貴重な床面積を入手可能となる。しかもシステム１０の、水を含む部品がキャビネット１２の下方の台座１６内に保持されることにより、冷却材の漏れが際立って最小化される。最後に、水（あるいはその他の好適な液体冷却材）の比熱及び密度が空気よりもずっと高いことから、水は単なる空気と比較してキャビネット１２を除熱するためのずっと良好な媒体である。
【００２０】
図１及び図２を参照するに、本システム１０の空気流れ分与装置２２（以下、単に分与装置とも称する）は、ブラケット１４によって支持した色々の電子的アセンブリを通し所定流量の空気分与を確立するためのものである。図示される実施例では分与装置２２は所定の分与流量が実質的に同じであるように構成される。言い換えると、分与装置２２はキャビネット１２の第２垂直空気通路２６からの冷却用空気流れを、ブラケット１４に支持される数多くの電子的アセンブリの内部に保持される各データサーバーが同じ量の空気によって冷却されるように配分する。しかしながら分与装置２２を、例えば形式あるいは寸法形状の異なる（異なる熱負荷を提供する）データサーバーに対処するべく、所定流量の分与を変化させるような形態のものとすることができる。
【００２１】
図示されるように、分与装置２２はキャビネットの第２垂直空気通路２６とブラケットとの間に位置決めされる。しかしながら、分与装置２２はブラケット１４と、キャビネットの第１垂直空気通路との間に位置決めすることもできる。また、キャビネット１２に分与装置２２を２つ設け、一方をキャビネットの第２垂直空気通路２６とブラケット１４との間に位置決めし、他方を第１垂直空気通路２４とキャビネットとの間に位置決めすることもできる。
【００２２】
分与装置２２は実質的に平坦であり、垂直方向に伸延し、所定の配列模様の寸法と位置とを有する複数の孔を含む。図２に示されるように、分与装置２２の孔４８は台座１６からの距離が異なる位置において、キャビネットの第２垂直空気通路２６からの空気流れをブラケット１４にほぼ等しく配分するように寸法付け及び位置決めされる。詳しくは、各孔４８は等しい寸法形状を有し、ブラケット１４に相当する水平列状に設けられ、台座１６に最も近い水平列の孔４８は台座から最も遠い水平列の孔よりも数が少ない（しかしながら、仮に所望される流量を分与する上で適当なのであれば台座１６に最も近い水平列の孔数を台座から最も遠い側の水平列の孔数よりも多くすることができる）。
【００２３】
あるいは分与装置２２に複数の孔を水平列状に設け、各水平列の孔数を同じとし、孔の寸法形状を台座１６から離れるに従い大きくすることもできる（しかしながら、仮に所望される流量を分与する上で適当なのであれば、各孔の寸法形状を台座１６から離れるに従い減少させることもできる）。また分与装置２２には、水平列状に孔を設け、各水平列の孔数と寸法形状とを台座１６から離れるに従い増大させることができる（しかしながら、仮に所望される流量を分与する上で適当であれば、各孔の数及び寸法形状を台座１６から離れるに従い減少させることもできる）。
【００２４】
かくして、各孔の寸法形状並びに位置は、本発明の範囲を逸脱することなく、所望の流量分与を提供するために変更することができる。図示されないが、各孔４８にはブラケット１４に支持された電子装置を貫く、垂直空気通路２９からの空気の水平方向流れを助成するためのルーバーをも設けることができる。
【００２５】
図５〜図９を参照するに、本発明に従う構成の別の空気流れ分与装置５０（以下、単に分与装置５０とも称する）が示される。分与装置５０は、図１の分与装置２２に代えて図１のシステム１０と共に使用するためのものである。分与装置５０は、キャビネット１２に組み込んだ状態で、台座１６に接近する分与装置の下端５２と、台座１６から遠い側の分与装置の上端５４との間で、上端５４が下端５２よりもブラケット１４に接近するような状態で垂直方向及び横断方向に伸延する。図示される実施例では分与装置５０は実質的に平坦であることから、分与装置５０の、第２垂直空気通路２６の断面積は台座１６から遠い程小さくなり、キャビネット１２のこの第２垂直空気通路２６を出る空気流れはブラケット１４に支持された数多くの電子装置にほぼ等しく配分される。
【００２６】
分与装置５０を、空気流れ分与量を変化させるような、平坦ではない湾曲その他の形態のものとすることが可能である。加えて、分与装置５０を、第２垂直空気通路２６にではなく、キャビネット１２の第１垂直空気通路２４内に位置決めしても良い。更には、キャビネット１２に分与装置５０を２つ設け、一方を第２垂直空気通路２６内に位置決めし、他方を第１垂直空気通路２４内に位置決めしても良い。
【００２７】
図５〜図９の実施例では、分与装置５０はキャビネット１２の前パネル２８の内側に取り付けられる。図示されるように、下端５２は丁番アセンブリ５６により前パネル２８に固定され、一方、上端５４は、各ブラケット１４に関する位置を調節することができるように、ブラケット５８を使用して前パネル２８に調節自在に固定される。分与装置５０の上端位置に、各ブラケットに向かう空気流れを助成するための、ブラケット１４に向けて伸延するフード６０と、このフード６０から下方に伸延する側方プレート６２とを設けることが好ましい。図９に最も良く示されるように、各側方プレート６２は、各側方プレート６２の縁部６４が前パネル２８に関して垂直方向に且つ平行方向に伸延するような形態を有する。図示されないが、分与装置５０と、フード６０と、側方プレート６２とは、キャビネット内部では分与装置５０と垂直列状のサーバーとの間で実質的に閉じたダクトを形成するような寸法形状を有し且つ位置決めされることが好ましい。
【００２８】
図１０及び図１１には本発明に従う構成の、データサーバーのような複数の電子的アセンブリを除熱するための新規且つ改良された他のシステム１００が示される。図１０及び図１１のシステム１００は図１〜図４のシステム１０と類似のものであり、同様の構成要素は前に“１”を付記して示される。しかしながら図１０及び図１１のシステム１００は台座を含まず、台座に代えて軸流ファン１１８と熱交換器１２０とを格納するキャビネット１１２を含んでいる。
【００２９】
キャビネット１１２は、キャビネットの第２垂直空気通路１２６と第１垂直空気通路１２４との間で電子的アセンブリを垂直列１１５の状態に支持するためのブラケット１４と、第２垂直空気通路１２６と垂直列１１５の状態の電子的アセンブリとの間に位置決めされ、この垂直列状態の電子的アセンブリを通る所定流量の空気流量を確立するための空気流れ分与装置１２２（以下単に分与装置１２２とも称する）とを含む。キャビネット１１２はブラケット１１４と第１垂直空気通路１２４及び第２垂直空気通路１２６とにより周囲を包囲され、閉鎖基部１３６を含んでいる。軸流ファン１１８と熱交換器１２０とはこの閉鎖基部１３６と垂直列１１５の状態の電子的アセンブリとの間に位置決めされ、キャビネット１１２が、このキャビネット１１２の第１垂直空気通路１２４と第２垂直空気通路１２６とを連結し、軸流ファン１１８と熱交換器１２０とを通して空気流れを送る空気通路１４６を確定する。
別体の台座を設けるのに代えて軸流ファン１１８と熱交換器１２０とを設けたことにより、図１０及び図１１のシステム１００のキャビネット１１２ではシステム１００の全高が低くなり、かくして各電子装置が床に近づくことから、キャビネット内に収納した各電子装置への現場でのアクセスが容易化される。
【００３０】
図１２及び図１３には、本発明に従う構成の、データサーバーのような複数の電子的アセンブリを除熱するための新規且つ改良された他のシステム２００が示される。図１２及び図１３のシステム２００は図１〜図４のシステム１０と類似のものであり、同様の構成要素は前に“２”を付記して示される。しかしながら、図１２及び図１３のシステム２００は、キャビネット２１２を支持する床２０１の下方に位置決めした台座２１６と、床２０１を貫いて伸延し、台座２１６をキャビネット２１２に連結するダクト２８０、２９０とを含んでいる。この配列構成によりシステム２００の床２０１から上の高さが低くなり、キャビネット２１２内に収納した電子装置から出現する冷却材量が一層減少し、全高が低いことで各電子装置が床に近づくことからキャビネット内に収納した各電子装置への現場でのアクセスが一段と容易化される。
【００３１】
図１４及び図１５には本発明に従う構成の、データサーバーのような複数の電子的アセンブリを除熱するための新規且つ改良された他のシステム３００が示される。図１４及び図１５のシステム３００は図１〜図４のシステム１０と類似のものであり、同様の構成要素は前に“３”を付記して示される。しかしながら図１４及び図１５のシステム３００は台座を含まず、台座に代えて、キャビネット３１２を支持する床３０１を貫いて伸延し、キャビネット３１２を図示しない遠隔熱交換器に連結するダクト３８０、３９０を含んでいる。ダクト３８０、３９０の少なくとも一方には、キャビネット３１２と遠隔熱交換器との間での空気流れの循環を助成するための軸流ファン３１８が位置決めされる。ダクト３８０、３９０は絶縁されることが好ましい。こうした配列構成により、床３０１より上のシステム３００の高さが減少し、キャビネット３１２に格納した電子装置からの冷却材の出現量が一層減少され、全高が低いことで各電子装置が床３０１に近づくことから、キャビネット３１２内に収納した各電子装置への現場でのアクセスが一段と容易化される。
【００３２】
図１６〜図１８には本発明に従う構成の、データサーバーのような複数の電子的アセンブリを除熱するための新規且つ改良された他のシステム４００が示される。図１６〜図１８のシステム４００は図１〜図４のシステム１０と類似のものであり、同様の構成要素は前に“４”を付記して示される。しかしながら図１６〜図１８のシステム４００は台座を含まず、台座に代えて、遠心ファン４１８と熱交換器４２０とを格納するキャビネット４１２を含んでいる。
【００３３】
キャビネット４１２は、キャビネットの第２垂直空気通路４２６と第１垂直空気通路４２４との間で電子的アセンブリを垂直列４１５の状態に支持するためのブラケットと、第２垂直空気通路４２６内で垂直列４１５の状態の電子的アセンブリに隣り合って位置決めされ、垂直列４１５の状態の電子的アセンブリを通る所定の空気流量を確立するための空気流れ分与装置４５０（以下単に分与装置４５０とも称する）とを含む。分与装置４５０は図５の分与装置５０と類似のものである。
キャビネット４１２は垂直列４１５の状態の電子的アセンブリと第１垂直空気通路４２４及び第２垂直空気通路４２６とにより周囲を包囲され、閉鎖基部４３６を含んでいる。熱交換器４２０は、この閉鎖基部４３６と垂直列４１５の状態の電子的アセンブリとの間に位置決めされ、キャビネット４１２が、このキャビネット４１２の第１垂直空気通路４２４と第２垂直空気通路４２６とを連結し、熱交換器４２０を通して空気流れを送る空気通路１４６を確定する。
【００３４】
キャビネット４１２はシステム４００の、垂直列状の遠心ファン４１８を収納するプレナム４３１を有する後部ドア４３０をも含んでいる。プレナム４３１は第２垂直空気通路４２６を熱交換空気流れ通路４４６に連結する。遠心ファン４１８をこのように取り付けることで遠心ファン４１８のための空間が大きくなり、結局、全空気流量が大きくなり、かくして除熱能力が向上する。
【００３５】
図１９及び図２０には本発明に従う構成の、データサーバーのような複数の電子的アセンブリを除熱するための新規且つ改良された他のシステム５００が示される。図１９及び図２０のシステム５００は図１６〜図１８のシステム４００と類似のものであり、同様の構成要素は前に“５”を付記して示される。しかしながら図１９及び図２０のシステム５００は、上パネル５３４と垂直列５１５の状態の電子的アセンブリとの間に熱交換器５２０を格納すると共に、第１垂直空気流れ通路５２４と後部ドア５３０のプレナム５３１とを連結して熱交換器５２０を通して空気流れを送る熱交換器空気流れ通路５４６を確定するキャビネット５１２を含んでいる。後部ドア５３０のプレナム５３１内には遠心ファン５１８が位置決めされる。
【００３６】
加えて、キャビネット５１２は、第２垂直空気通路５２６内で垂直列５１５の状態の電子的アセンブリに隣り合って位置決めされ、この垂直列５１５の状態の電子的アセンブリを通る所定の空気流量れを確立するための空気流れ分与装置５５０（以下、単に分与装置５５０とも称する）を有する。分与装置５５０は図５の分与装置５０と類似のものであるが、逆転した構成を有している。言い換えると、分与装置５５０は第２垂直空気通路５２６の内部でキャビネット５１２の閉鎖基部５１６に接近する下端５５２と、閉鎖基部５３６から遠い上端５５４との間を、上端５５４が下端５５２よりも電子的アセンブリ５１５から遠くなるようにして垂直方向及び横断方向に伸延する。こうした構成上、分与装置５５０によれば、キャビネット５１２の第２垂直空気通路５２６からの空気流れを、垂直列５１５の状態に支持された各電子的アセンブリにほぼ等しく配分するための第２垂直空気通路５２６の断面積が、熱交換器５２０から遠くなる程減少する。
【００３７】
以上、本発明を実施例を参照して説明したが、本発明の内で種々の変更をなし得ることを理解されたい。例えば、図１９のシステム５００の遠心ファン５１８を、上部パネル５３４と垂直列５１５の状態の電子的アセンブリとの間で熱交換器５２０に接近して位置付けた軸流ファンに代えることができる。更に、軸流ファンを熱交換器に隣り合って設ける全ての実施例において、軸流ファンを熱交換器の“入口”側の高温の空気流れ内ではなく、熱交換器の“出口”側の低温の空気流れ内に位置付けることができる。
【図面の簡単な説明】
【００３８】
【図１】本発明に従う構成とされ、キャビネットを冷却器の台座上部に取り付けた、データサーバーのような複数の電子的アセンブリを除熱するための新規且つ改良されたシステムの断面側面図である。
【図２】前パネルを外してキャビネットの空気流れ分与装置が見えるようにした、図１のシステムの正面図である。
【図３】台座から取り外し、キャビネットの前パネルと空気流れ分与装置も取り外して、キャビネットの縦列状態のサーバーブラケットが見えるようにした、図１のシステムの正面図である。
【図４】図１のシステムに於ける冷却器の台座の平面図である。
【図５】図３に示すキャビネットと共に使用するための別の前パネルであって、本発明に従う構成として別の空気流れ分与装置を取り付けた前パネルを後方から見た斜視図である。
【図６】図５の丸６で囲った部分の、前パネル及び空気流れ分与装置の一部の拡大図である。
【図７】図５の丸７で囲った部分の、前パネル及び空気流れ分与装置の一部の、空気流れ分与装置の一部を切除して示す拡大図である。
【図８】図５の前パネル及び空気流れ分与装置を後方から見た正面図である。
【図９】図５の前パネル及び空気流れ分与装置の側面図である。
【図１０】本発明に従う構成とされ、データサーバーのような複数の電子的アセンブリを除熱するための新規且つ改良された他のシステムの断面側面図である。
【図１１】図１０のシステムを後方から見た断面図である。
【図１２】本発明に従う構成とされた、データサーバーのような複数の電子的アセンブリを除熱するための新規且つ改良された追加的なシステムの断面側面図である。
【図１３】図１２のシステムを後方から見た断面図である。
【図１４】本発明に従う構成とされた、データサーバーのような複数の電子的アセンブリを除熱するための新規且つ改良された更に他のシステムの断面側面図である。
【図１５】図１４のシステムを後方から見た断面図である。
【図１６】本発明に従う構成とされた、データサーバーのような複数の電子的アセンブリを除熱するための更に他の新規且つ改良された更に他のシステムの断面側面図である。
【図１７】図１６のシステムを後方から見た断面図である。
【図１８】図１６のシステムを底面側から見た断面図である。
【図１９】本発明に従う構成とされた、データサーバーのような複数の電子的アセンブリを除熱するための新規且つ改良された更に他のシステムの断面側面図である。
【図２０】図１９のシステムを後方から見た断面図である。
【符号の説明】
【００３９】
１０、１００、２００、３００、４００、５００  システム
１２  キャビネット
１４  支持手段
１５、１１５、４１５、５１５  垂直列
１６  台座
１８  空気流れ送出手段
２０  除熱手段
２２、５０、４５０、５５０  空気流れ分与装置
２４  第１垂直空気通路
２６  第２垂直空気通路
２８  前パネル
３０  後パネル
３２  側方パネル
３４、５３４  上パネル
３６  基部
３８  出口
４０  入口
４２  入口ポート
４４  出口ポート
４６  台座空気通路
４８  孔
５２  下端
５４  上端
５６  丁番アセンブリ
６０  フード
６２  側方プレート
６４  縁部
１１８、３１８  軸流ファン
１３６  閉鎖基部
３０１  床
３８０、３９０  ダクト
３１８、４１８、５１８  遠心ファン
４３１、５３１  プレナム
４３０  後部ドア
４４６、５４６  熱交換空気流れ通路
５２０  熱交換器
【図１】
2005500675.tif 000003
【図４】
2005500675.tif 000004
【図１０】
2005500675.tif 000005
【図１２】
2005500675.tif 000006
【図１４】
2005500675.tif 000007
【図１５】
2005500675.tif 000008
【図１９】
2005500675.tif 000009
【図２０】
2005500675.tif 000010
【国際公開パンフレット】
2005500675.tif 000011
2005500675.tif 000012
2005500675.tif 000013
2005500675.tif 000014
2005500675.tif 000015
2005500675.tif 000016
2005500675.tif 000017
2005500675.tif 000018
2005500675.tif 000019
2005500675.tif 000020
2005500675.tif 000021
2005500675.tif 000022
2005500675.tif 000023
2005500675.tif 000024
2005500675.tif 000025
2005500675.tif 000026
2005500675.tif 000027
2005500675.tif 000028
2005500675.tif 000029
2005500675.tif 000030
2005500675.tif 000031
2005500675.tif 000032
2005500675.tif 000033
2005500675.tif 000034
2005500675.tif 000035
2005500675.tif 000036
2005500675.tif 000037
2005500675.tif 000038
2005500675.tif 000039
2005500675.tif 000040
2005500675.tif 000041
2005500675.tif 000042
2005500675.tif 000043
2005500675.tif 000044
2005500675.tif 000045
2005500675.tif 000046
2005500675.tif 000047
2005500675.tif 000048
2005500675.tif 000049
2005500675.tif 000050
2005500675.tif 000051
2005500675.tif 000052
2005500675.tif 000053
2005500675.tif 000054
【国際公開パンフレット（コレクトバージョン）】
2005500675.tif 000055
2005500675.tif 000056
【国際調査報告】
2005500675.tif 000057
2005500675.tif 000058
2005500675.tif 000059
2005500675.tif 000060
2005500675.tif 000061